(57)【要約】【課題】加工・接合が簡単であるとともに、外周面に天然素材の木質薄板の立体的なデザイン性をもたらした連動円形を有する花びら状連結円形様蓋付薄板容器を提供する。【解決手段】略円形形状が２〜６個連なった花びら状連結円形様の蓋付き薄板木製容器において、収納容器本体とその蓋の両底板を花びら状連結円形様形状に薄板を切り抜き、当該切り抜いた薄板の切り込みのＶ字型に当たる頂点に長方体の薄板一端を嵌め込んで、２〜６個の長方体の薄板個々をＶ字型部に介して連結させた花びら状に円形様を連結させた形状にしている花びら状連結円形様蓋付薄板容器である。【選択図】図１
0003201541.tif 000002
【実用新案登録請求の範囲】
【請求項１】
略円形形状が２〜６個連なった花びら状連結円形様の蓋付き薄板木製容器において、収納容器本体の底板とその蓋体の上板とを同形に花びら状連結円形様形状に薄板を切り抜き、当該両切り抜いた薄板の切り込みのＶ字部に当たる頂点に長方体の薄板一端を各々嵌め込んで、２〜６個の長方体の薄板個々をＶ字部に介して連結させた花びら状に円形様形状を連結させた容器にしていることを特徴とする花びら状連結円形様蓋付薄板容器。
【請求項２】
花びら状連結円形様の蓋付き薄板木製容器は、収納容器への被せ蓋式と、又は収納容器に蓋の嵌め込み式とであって、材料として針葉樹林であるエゾマツ材、モミ材、ヒノキ材、スギ材、マツ材から選ばれた厚さ０．１〜３ｍｍの木製の薄平板で、当該木材杢目での年輪の幅が平均値０．５〜５ｍｍの範囲に入っている薄平板木材を使用された直径３０〜２００ｍｍの略円形様状を２〜６個を連ねた花びら状で前記主連結円形様容器、及びその蓋の円形様容器とから構成されていることを特徴とする請求項１に記載の花びら状連結円形様蓋付薄板容器。
【請求項３】
花びら状連結円形様蓋付薄板容器は、入り底と入り蓋の有無に関係しないが、入り底ありの前記主円形様容器、及び入り蓋ありの前記円形様蓋の場合においては、入り底、及び入り蓋の深さはそれぞれ２〜１０ｍｍであって、前記の薄平板の端部から２〜１０ｍｍの位置に０．３〜１ｍｍ深さ、０．５〜２ｍｍ幅の溝をもった薄板を使用した３０〜２００ｍｍ直径の円形を有する花びら状連結円形様蓋付容器形体であり、前記主円形様形体を内円形様形体と外円形様形体とにより構成し、内円形様形体には外円形様形体の開口端部から突出する突出筒部を形成し、その突出筒部には前記蓋円形様体が外嵌されるような構成体と、又は円形を連結的に有する前記主円形様形体に前記蓋円形様体で覆うように外嵌されるような構成体とであって、前記主円形様体と蓋円形様体とそれぞれの高さを５０〜５００ｍｍの範囲にしていることを特徴とする請求項１、又は請求項２に記載の花びら状連結円形様蓋付薄板容器。
【請求項４】
花びら状連結円形様蓋付薄板容器における収納本体容器に蓋の嵌め込み式において、その前記花びら状連結円形様主形体の薄板容器を内円形様形体と外円形様形体とにより構成し、内円形様体には外円形様体の開口端部から突出する円筒部を形成し、その突出円形部には前記蓋円形様体で外嵌されるような構成体になって、前記突出している内円形様形体の寸法として、全体長さ３０〜５０ｍｍ、突出部１０〜３０ｍｍであり、円形を有する前記主円形様形体の薄板容器に前記蓋円形様体を外嵌された構成体容器を、高さ５０〜５００ｍｍの主円形様形体と高さ３０〜３００ｍｍの蓋円形様形体とからなっていることを特徴とする請求項１〜請求項３のいずれかに記載の花びら状連結円形様蓋付薄板容器。
【請求項５】
木製の薄平板杢目における、平均年輪幅０．３〜５ｍｍ範囲になっている長方形の薄平板は、略円形状にするために、当該薄平板の両先端部の下部に３〜８ｍｍ長さ、２〜５ｍｍ幅の切り込み部を設けて、この部所を花びら状連結円形様形状の収納本体容器の底板とその蓋の蓋板の薄板における切り抜き部に嵌合できるようにして、その部所で２枚、或は１枚の両端の薄平板の両端２〜５ｍｍの幅を合わせて圧縮接着された構造体にしていることを特徴とする請求項１〜請求項４のいずれかに記載の花びら状連結円形様蓋付薄板容器。
【請求項６】
薄平板を使用した一個の直径３０〜２００ｍｍの円形を有する２〜６個の前記連動円形様蓋付容器は、食品、並びに食品贈答品を収納されているように形態になっており、円形状として２〜６個の連動円形様花びら型、２個の円形連結ハート型、２個の円形連結ひょうたん型から選ばれた連結円形様蓋付薄板容器であることを特徴とする請求項１〜請求項５のいずれかに記載の花びら状連結円形様蓋付薄板容器。
【請求項７】
花びら状連結円形様蓋付薄板容器は、主円形様容器の表面に貼る装飾模様として、厚さ０．１〜１ｍｍの紙、又は樹脂フイルム、又は布シートであって、円筒外周の表面の１／１０面から１／２を占めて、貼る紙、又は樹脂フイルム、又は布シートに使用する接着剤として、食品の安全性で高く、接着性も高い糖類であり、円筒外表面の板面に季節感に合わせた植物の葉、又は花、および風景をプリントし易いような状態、あるいは内容物を表現できるような図柄、文字の装飾体になって、又は薄板容器の蓋表面板と側板には彫刻模様または刻印を焼き付けていることを特徴とする請求項１〜請求項６のいずれかに記載の花びら状連結円形様蓋付薄板容器。
【請求項８】
前記有底主円形様形体薄板容器、及びその蓋円形様形体の外周面に装飾部を形成された装飾模様円形様形体になり、又は主円形様形体薄板容器上の装飾部と高さ３０〜１００ｍｍの蓋円形様体の装飾部とを別々になり、又は外円形様形体と蓋円形様形体との装飾部とが連続して、３０〜２００ｍｍ範囲の全円形様形体に装飾模様になっていることを特徴とする請求項１〜請求項７のいずれかに記載の花びら状連結円形様蓋付薄板容器。
【考案の詳細な説明】
【技術分野】
【０００１】この考案は、木製の薄平板を使用して製作した食品用、および贈答品用収納容器として、多数の円形状の蓋付容器である花びら状連結円形様蓋付薄板容器に関するものである。
【背景技術】
【０００２】従来、この種の円形状の蓋付き容器としては、合成樹脂や厚紙よりなる有底円筒状の主筒の開口端部に、同じく合成樹脂や厚紙よりなる蓋筒を開閉可能に嵌着するように構成したものが知られている。この従来構成においては、主筒及び蓋筒が合成樹脂や厚紙により形成されているため、主筒及び蓋筒の外周面に木目模様等の天然素材の模様を表出させるのが困難であった。特に、厚紙により形成されたものは、水や外力に対して脆弱であって、食品類を取り扱いにおいて慎重を期す必要があった。【０００３】一方、円筒状の木製容器の構成が開示されているが、一つの木片に対して軸方向へのボーリングを施すことによって円筒状の木製容器が形成されるものが提案されている（特許文献１参照）。【０００４】また、福祉用具や学校用学習机椅子等の木製部材に使用されるウッドパイプとして、複数枚の木質の薄単板を巻回積層して接着固定することにより、円筒状のウッドパイプが形成されている。この場合、各層の薄板での巻き始め端縁と巻き終わり端縁とが、互いに重ならないように突合せ状態で接合されるとともに、ウッドパイプの軸線と平行に延びるように配置されている。また、各層における薄単板の突合せ接合部は、同一位置に重合しないように、ウッドパイプの円周方向へ位置をずらして配置されている容器が提案されている（特許文献２参照）。【０００５】また、従来の構成では、複数枚の木質の薄単板が用いられているため、原材料の浪費の問題は生じないが、複数枚の木質の薄単板が巻回積層された各層において、薄単板の巻き始め端縁と巻き終わり端縁とが突合せ状態で接合されているものも提案されている（特許文献２参照）。【０００６】有底円筒状の主筒と、その主筒の開口を開閉する蓋筒とを備えた円筒容器において、前記主筒及び蓋筒を木製の薄板を軸線に対して傾斜するように巻回して構成するとともに、その薄板の端縁により前記主筒及び蓋筒の外周面に段差状の装飾部を形成した木製の円筒容器が提案されている（特許文献３参照）。【０００７】さらに複数の木片を直列に接着して得られた複合寄せ木材をその直列方向に縦断するように薄板状に切断して得られた可撓性を有する寄せ木状かつ矩形帯状の薄板を扁平の筒形態に湾曲させて形成された薄肉の胴部と、その胴部の下部内周面に形成された周方向の環状溝に嵌め込まれて、その胴部の下側開口を塞ぐ底板と、前記胴部の上端面に着座してその胴部の上側開口を塞ぐ蓋板と、前記胴部の外周に嵌められたたが部材と、上端から下端まで縦の側壁が互いに平行となる木製樽型容器が提案されている（特許文献４参照）。【０００８】上記のように薄板を使用した容器は、強度的に十分ではなく、加工方法に工夫をもたらすか、材料として樹脂製などが使用されていた。しかし特殊な木製薄板での可能性が期待されている。また薄平板の円形を有する食品、贈答品などを収納できる入り蓋、及び入り底ありの蓋付き木製容器については、今まで存在していない。
【先行技術文献】
【特許文献】
【０００９】
【特許文献１】特開平９−１６４５１２号公報
【特許文献２】特開２００５−２８８８１４号公報
【特許文献３】特開２０１０−５９６２号公報
【特許文献４】特開２００５−３３５２９０号公報
【考案の概要】
【考案が解決しようとする課題】
【００１０】木製薄板の円形状の容器を製作する場合においては、薄板の破損、亀裂などが起こり、十分な容器の収率をもたらすことができない。同じ径の木製容器を複数作製しようとすれば、その木製容器の外径の２倍以上の木材を必要とするため、原材料の浪費に直結する。従って、木製容器の外径の２倍未満の木材からは径の異なる木製容器しか作製できない。しかも、従来技術においては、木製容器の外周面には何らの装飾も施されず、きわめて興趣に乏しい。また薄板を使用した容器は、強度的に十分ではなく、加工方法に工夫をもたらすが、材料として樹脂製などが使用されていた。しかし特殊な木製薄板での可能性が期待されている。【００１１】また、従来構成では、複数枚の木質の薄単板が用いられているため、複数枚の木質の薄単板が巻回積層された各層において、薄単板の巻き始め端縁と、巻き終わり端縁とが突合せ状態で接着剤によって接合されているため、各層の薄単板の幅を外側層ほど次第に大きくなるように変更調整する必要があり、隙間の多いものであった。よって、同一形状の木製薄単板を使用することができず、薄単板の加工が面倒になるという問題があった。さらに木製薄板で強度的に可能な材料が必要であった。【００１２】また、木製薄板容器の外周面に最外層の薄単板の突合せ接合部が、容器の外周面と同一周面上で、容器の軸線に沿って直線状に延びるように現れるように構成されている。このため、外周面に立体的なデザイン変化を醸しだすことができないという問題もあった。木質の薄単板により円筒容器の主筒及び蓋筒を形成したとしても、加工が簡単でデザイン的に優れた円筒容器を得ることができなかった。【００１３】さらに木製薄板で円形状の容器を製造する場合には、一般に通常の薄板では破損、亀裂が発生して、歩留まりが十分ではなく、また薄板の変形もあって、十分な円形状、ならびに蓋、底板なども設計が十分にできなかった。年輪を調整した特殊な薄板の均一な状態で強靭性を持ったもの、また入り蓋、及び入り底を有するものが新商品の収納に対して要請されている。また食品を収納する場合には殺菌性、防菌性を持っている材料も要請されている。【００１４】この考案は、このような従来の技術課題に存在する問題点に着目して対応なされたものである。その目的は、年輪を目の幅が決まった薄板の均一な状態で強靭性を持って、殺菌性、防菌性を有している材料を使用して、円筒などの複雑な容器加工が簡単に処理できるとともに、外周面に天然素材の立体的なデザイン変化を醸しだすことができる円形状を有する容器を提供することにある。
【課題を解決するための手段】
【００１５】略円形形状が２〜６個連なった花びら状連結円形様の蓋付き薄板木製容器において、収納容器本体の底板とその蓋体の上板とを同形に花びら状連結円形様形状に薄板を切り抜き、当該両切り抜いた薄板の切り込みのＶ字部に当たる頂点に長方体の薄板一端を各々嵌め込んで、２〜６個の長方体の薄板個々をＶ字部に介して連結させた花びら状に円形様を連結させた容器形状にしている花びら状連結円形様蓋付薄板容器である。【００１６】花びら状連結円形様の蓋付き薄板木製容器は、収納容器への被せ蓋式と、又は収納容器に蓋の嵌め込み式とであって、材料として針葉樹林であるエゾマツ材、モミ材、ヒノキ材、スギ材、マツ材の厚さ０．５〜２ｍｍの木製の薄平板で、当該木材杢目での年輪の幅が平均値０．５〜５ｍｍの範囲に入っている薄平板木材を使用された直径３０〜２００ｍｍの略円形様状を２〜６個を連ねた花びら状で前記主連結円形様容器、及びその蓋の円形様容器とから構成されている。【００１７】花びら状連結円形様蓋付薄板容器は、入り底と入り蓋の有無に関係しないが、入り底ありの前記主円形様容器、及び入り蓋ありの前記円形様蓋の場合においては、入り底、及び入り蓋の深さはそれぞれ２〜１０ｍｍであって、前記の薄平板の端部から２〜１０ｍｍの位置に０．３〜１ｍｍ深さ、０．５〜２ｍｍ幅の溝をもった薄板を使用した３０〜２００ｍｍ直径の円形を有する花びら状連結円形様蓋付容器形体であり、前記主円形様形体を内円形様形体と外円形様形体とにより構成し、内円形様形体には外円形様形体の開口端部から突出する突出筒部を形成し、その突出筒部には前記蓋円形様体が外嵌されるような構成体と、又は円形を連結的に有する前記主円形様形体に前記蓋円形様体で覆うように外嵌されるような構成体とであって、前記主円形様体と蓋円形様体とそれぞれの高さを５０〜５００ｍｍの範囲にしている。【００１８】花びら状連結円形様蓋付薄板容器における収納本体容器に蓋の嵌め込み式において、その前記花びら状連結円形様主形体の薄板容器を内円形様形体と外円形様形体とにより構成し、内円形様体には外円形様体の開口端部から突出する円筒部を形成し、その突出円形部には前記蓋円形様体で外嵌されるような構成体になって、前記突出している内円形様形体の寸法として、全体長さ３０〜５０ｍｍ、突出部１０〜３０ｍｍであり、円形を有する前記主円形様形体の薄板容器に前記蓋円形様体を外嵌された構成体容器を、高さ５０〜５００ｍｍの主円形様形体と高さ３０〜３００ｍｍの蓋円形様形体とからなっている。【００１９】木製の薄平板杢目における、平均年輪幅０．３〜５ｍｍ範囲になっている長方形の薄平板は、略円形状にするために、当該薄平板の両先端部の下部に３〜８ｍｍ長さ、２〜５ｍｍ幅の切り込み部を設けて、この部所を花びら状連結円形様形状の収納本体容器の底板とその蓋の蓋板の薄板における切り抜き部に嵌合できるようにして、その部所で２枚、或は１枚の両端の薄平板の両端２〜５ｍｍの幅を合わせて圧縮接着された構造体にしている。【００２０】薄平板を使用した一個の直径３０〜２００ｍｍの円形を有する２〜６個の前記連動円形様蓋付容器は、食品、並びに食品贈答品を収納されているように形態になっており、円形状として２〜６個の連動円形様花びら型、２個の円形連結ハート型、２個の円形連結ひょうたん型から選ばれた連結円形様蓋付薄板容器である。【００２１】花びら状連結円形様蓋付薄板容器は、主円形様容器の表面に貼る装飾模様として、厚さ０．１〜１ｍｍの紙、又は樹脂フイルム、又は布シートであって、円筒外周の表面の１／１０面から１／２を占めて、貼る紙、又は樹脂フイルム、又は布シートに使用する接着剤として、食品の安全性で高く、接着性も高い糖類であり、円筒外表面の板面に季節感に合わせた植物の葉、花、および風景をプリントし易いような状態、あるいは内容物を表現できるような図柄、文字の装飾体になって、又は薄板容器の蓋表面板と側板には彫刻模様または刻印を焼き付けている。【００２２】前記有底主円形様形体薄板容器、及びその蓋円形様形体の外周面に装飾部を形成された装飾模様円形様形体になり、又は主円形様形体薄板容器上の装飾部と高さ３０〜１００ｍｍの蓋円形様体の装飾部とを別々になり、又は外円形様形体と蓋円形様形体との装飾部とが連続して、３０〜２００ｍｍ範囲の全円形様形体に装飾模様になっている。
【考案の効果】
【００２３】この考案によれば、花びら状連結円形様蓋付薄板容器は、特殊な木材を使用した薄板を使用して複数の円形状を連結した容器であって、入り蓋、及び入り底ありの花びら状連結円形様蓋付き円形様形状容器を簡単に加工・製造を行うことができる。【００２４】また非常に薄板間の複数の円形状でも接合性もよくなって、円形様容器に強度にも十分な食品、贈答品の容器として、特殊な形状であって、外周面に天然木製素材で立体的な円形状のデザイン変化を醸しだすことができるという効果を発揮した。
種々の円筒様形状においても、薄板の強度は十分で、亀裂とかヒズミなどが存在しない強靭な容器で、食品、あるいは贈答品の包装に対して、殺菌性、抗菌性などをもたらした。
【図面の簡単な説明】
【００２５】
【図１】花びら状連結円形様蓋付薄板容器における代表容器の斜視図。
【図２】花びら状連結円形様蓋付薄板容器における内円形様形体と外円形様形体を有する主円筒形で、入り底ありの主円形様形体及び入り蓋ありの蓋円筒様体とからなる円形状を有する蓋付薄板容器の斜視図
【図３】花びら状連結円形様蓋付薄板容器である底と嵌め込みの形状の図。
【図４】円形状を有する薄板の溝と切り込み部の斜視図
【図５】ハート型の円形状を有する蓋付薄板容器の斜視図
【図６】４円形連結花びら状連結円形様蓋付薄板容器の斜視図。
【考案を実施するための形態】
【００２６】以下に、この発明の一実施形態を、図面に基づいて説明する。
図１及び図２に示すように、この実施形態の円筒容器は、有底円筒状の主筒様体と、その主筒の開口端部に脱着開閉可能に取り付けられた蓋筒様体とから構成されている。主筒様体は、円筒状の内筒と、その内筒の外側に嵌合固定された円筒状の外筒と、内筒及び外筒の底部に嵌合固定されたほぼ円板状の端板とより構成されている。内筒には、外筒の開口端部から突出する突出筒部が形成されている。蓋筒様体は、円筒状の蓋筒様体と、その蓋筒本体の頂部に嵌合固定されたほぼ円板状の端板とより構成されている。そして、この蓋筒が主筒における内筒の突出筒部に対して、印籠蓋形式で外嵌されるように構成されている。
【実施例１】
【００２７】図１に示すように花びら状連結円形様の蓋付き薄板木製容器は、収納容器への被せ蓋式と、又は収納容器に蓋の嵌め込み式とであって、材料としてスギ材の厚さ１．２ｍｍの木製の薄平板で、当該木材杢目での年輪の幅が平均値３〜５ｍｍの範囲に入っている薄平板木材を使用された直径７０ｍｍの略円形様状で４個を連ねた花びら状で前記主連結円形様容器、及びその蓋の円形様容器とから構成されていることを特徴とする花びら状連結円形様蓋付薄板容器にした。【００２８】花びら状連結円形様蓋付薄板容器は、入り底と入り蓋の有無に関係しないで、入り底ありの前記主円形様容器、及び入り蓋ありの前記円形様蓋の場合においては、入り底、及び入り蓋の深さはそれぞれ５ｍｍであって、前記の薄平板の端部から５ｍｍの位置に０．３ｍｍ深さ、０．５ｍｍ幅の溝をもった薄板を使用した７０ｍｍ直径の円形を有する花びら状連結円形様蓋付容器形体であり、図２に示すように前記主円形様形体を内円形様形体と外円形様形体とにより構成し、内円形様形体には外円形様形体の開口端部から突出する突出筒部を形成し、その突出筒部には前記蓋円形様体が外嵌されるような構成体と、又は円形を連結的に有する前記主円形様形体に前記蓋円形様体で覆うように外嵌されるような構成体とであって、前記主円形様体と蓋円形様体とそれぞれの高さを５０ｍｍと７０ｍｍにした。【００２９】花びら状連結円形様蓋付薄板容器における収納本体容器に蓋の嵌め込み式において、その前記花びら状連結円形様主形体の薄板容器を内円形様形体と外円形様形体とにより構成し、内円形様体には外円形様体の開口端部から突出する円筒部を形成し、その突出円形部には前記蓋円形様体で外嵌されるような構成体になって、前記突出している内円形様形体の寸法として、全体長さ３０ｍｍ、突出部１０ｍｍであり、円形を有する前記主円形様形体の薄板容器に前記蓋円形様体を外嵌された構成体容器を、高さ１５０ｍｍの主円形様形体と高さ１００ｍｍの蓋円形様形体とからなった。【００３０】木製の薄平板杢目における、平均年輪幅３〜５ｍｍ範囲になっている長方形の薄平板は、略円形状にするために、図４に示すように当該薄平板の両先端部の下部に５ｍｍ長さ、２ｍｍ幅の切り込み部を設けて、この部所を花びら状連結円形様形状の収納本体容器の底板とその蓋の蓋板の薄板における切り抜き部に嵌合できるようにして、その部所で２枚の薄平板の両端２ｍｍの幅を合わせて圧縮接着された構造体にした。【００３１】薄平板を使用した一個の直径７０ｍｍの円形を有する４個の前記連動円形様蓋付容器は、食品を収納されているように形態になっており、円形状として４個の連動円形様花びら型の連結円形様蓋付薄板容器であった。【００３２】花びら状連結円形様蓋付薄板容器は、主円形様容器の表面に貼る装飾模様として、厚さ０．２ｍｍの紙であって、円筒外周の表面の１／５面を占めて、貼る紙に使用する接着剤として、食品の安全性で高く、接着性も高い糖類であり、円筒外表面の板面に季節感に合わせた植物の花をプリントし易いような状態、あるいは内容物を表現できるような図柄、文字の装飾体になって、又は薄板容器の蓋表面板と側板には彫刻模様または刻印を焼き付けた。
【実施例２】
【００３３】花びら状連結円形様の蓋付き薄板木製容器は、収納容器への被せ蓋式と、又は収納容器に蓋の嵌め込み式とであって、材料として針葉樹林であるヒノキ材、の厚さ１．２ｍｍの木製の薄平板で、当該木材杢目での年輪の幅が平均値０．２〜５ｍｍの範囲に入っている薄平板木材を使用された直径１００ｍｍの略円形様状を３個連ねた花びら状で前記主連結円形様容器、及びその蓋の円形様容器とから構成されていることを特徴とする花びら状連結円形様蓋付薄板容器にした。【００３４】花びら状連結円形様蓋付薄板容器は、入り底と入り蓋の有無に関係しないで、入り底ありの前記主円形様容器、及び入り蓋ありの前記円形様蓋の場合においては、入り底、及び入り蓋の深さはそれぞれ１０ｍｍであって、前記の薄平板の端部から７ｍｍの位置に０．５ｍｍ深さ、２ｍｍ幅の溝をもった薄板を使用した１００ｍｍ直径の円形を有する花びら状連結円形様蓋付容器形体であり、前記主円形様形体を内円形様形体と外円形様形体とにより構成し、内円形様形体には外円形様形体の開口端部から突出する突出筒部を形成し、その突出筒部には前記蓋円形様体が外嵌されるような構成体と、又は円形を連結的に有する前記主円形様形体に前記蓋円形様体で覆うように外嵌されるような構成体とであって、前記主円形様体と蓋円形様体とそれぞれの高さを１００ｍｍと５０ｍｍにした。【００３５】木製の薄平板杢目における、平均年輪幅３〜５ｍｍ範囲になっている長方形の薄平板は、略円形状にするために、当該薄平板の両先端部の下部に３〜８ｍｍ長さ、２〜５ｍｍ幅の切り込み部を設けて、この部所を花びら状連結円形様形状の収納本体容器の底板とその蓋の蓋板の薄板における切り抜き部に嵌合できるようにして、その部所で２枚の薄平板の両端５ｍｍの幅を合わせて圧縮接着された構造体にした。【００３６】薄平板を使用した一個の直径１００ｍｍの円形を有する３個の前記連動円形様蓋付容器は、食品、並びに食品贈答品を収納されているように形態になっており、円形状として３個の連動円形様花びら型連結円形様蓋付薄板容器であった。【００３７】花びら状連結円形様蓋付薄板容器は、主円形様容器の表面に貼る装飾模様として、厚さ０．１〜１ｍｍの紙、１／２を占めて、貼る紙に使用する接着剤として、食品の安全性で高く、接着性も高い糖類であり、円筒外表面の板面に季節感に合わせた花をプリントし易いような状態、あるいは内容物を表現できるような図柄の装飾体になって、又は薄板容器の蓋表面板と側板には彫刻模様または刻印を焼き付けた。
【実施例３】
【００３８】花びら状連結円形様の蓋付き薄板木製容器は、収納容器への収納容器に蓋の嵌め込み式とであって、材料として針葉樹林であるモミ材の厚さ１ｍｍの木製の薄平板で、当該木材杢目での年輪の幅が平均値０．５〜３ｍｍの範囲に入っている薄平板木材を使用された直径５０ｍｍの略円形様状を４個連ねた花びら状で前記主連結円形様容器、及びその蓋の円形様容器とから構成されていることを特徴とする花びら状連結円形様蓋付薄板容器にした。【００３９】花びら状連結円形様蓋付薄板容器における収納本体容器に蓋の嵌め込み式において、その前記花びら状連結円形様主形体の薄板容器を内円形様形体と外円形様形体とにより構成し、内円形様体には外円形様体の開口端部から突出する円筒部を形成し、その突出円形部には前記蓋円形様体で外嵌されるような構成体になって、前記突出している内円形様形体の寸法として、全体長さ５０ｍｍ、突出部３０ｍｍであり、円形を有する前記主円形様形体の薄板容器に前記蓋円形様体を外嵌された構成体容器を、高さ１００ｍｍの主円形様形体と高さ３０ｍｍの蓋円形様形体とからなった。【００４０】木製の薄平板杢目における、長方形の薄平板は、略円形状にするために、当該薄平板の両先端部の下部に５ｍｍ長さ、４ｍｍ幅の切り込み部を設けて、この部所を花びら状連結円形様形状の収納本体容器の底板とその蓋の蓋板の薄板における切り抜き部に嵌合できるようにして、その部所で２枚の薄平板の両端３ｍｍの幅を合わせて圧縮接着された構造体にした。【００４１】薄平板を使用した一個の直径５０ｍｍの円形を有する４個の前記連動円形様蓋付容器は、食品、並びに食品贈答品を収納されているように形態になっており、円形状として４個の連動円形様花びら型連結円形様蓋付薄板容器であった。【００４２】花びら状連結円形様蓋付薄板容器は、主円形様容器の表面に貼る装飾模様として、厚さ１ｍｍの布シートであって、円筒外周の表面の１／２を占めて、貼る布シートに使用する接着剤として、食品の安全性で高く、接着性も高い糖類であり、円筒外表面の板面に季節感に合わせた植物の葉をプリントし易いような状態、あるいは内容物を表現できるような図柄の装飾体になって、又は薄板容器の蓋表面板と側板には彫刻模様または刻印を焼き付けた。
【実施例４】
【００４３】有底円形状のハート型主円筒形体と、その主円筒形体の開口を開閉する蓋円筒体とを備えた円形を有する容器において、厚さ２ｍｍのエゾマツ木製の薄板における年輪幅０．５〜３ｍｍになっている薄平板（全体の年輪の幅１〜２．５ｍｍの範囲に）を使用した直径２００ｍｍの円形を有する前記ハート型主円筒形体及びハート型蓋円筒体を木製の薄板で構成した。【００４４】薄板を使用した直径約２００ｍｍの円形を有する前記ハート型主円筒形体を内円筒形体と外円筒形体とにより構成し、内円筒体には２ｍｍの厚さを持つ外円筒体の開口端部から突出する突出筒部を形成するとともに、その突出筒部には前記蓋円筒体が外嵌されるようにして、前記ハート型突出円筒体部と蓋円筒体との間には、高さ１００ｍｍの外円筒体上の花の模様の装飾部と蓋円筒体上の同様な装飾部を付けた。【００４５】薄板を使用した直径２００ｍｍの円形を有する前記ハート型主円筒形体を、内円筒体には外円筒体の開口端部から突出する突出円筒体部を形成して、ハート状形にした。
外周面に装飾部を形成された装飾模様ハート型円筒様体は、主円筒様形体の表面に貼る装飾模様として、厚さ０．２ｍｍの紙であって、円筒外周の表面の１／５面を占めて、貼る紙に使用する接着剤として、食品の安全性で高く、接着性のよいものを使用した。【００４６】円筒外表面の板面にお菓子をプリントし易いような状態、あるいは内容物を表現できるような図柄の装飾体にした。【００４７】有底円形状のハート型主円筒形体と、その主円筒形体の開口を開閉する蓋円筒体とを備えた円形を有する容器において、木製の薄板における年輪幅を０．５〜３ｍｍで、薄板の表面に処理剤を塗布したものを使用した直径２００ｍｍの円形を有する前記主円筒形体及び蓋円筒体を木製の薄板を接合するとともに、そのハート型主円筒形体及び蓋円筒体の底板との接合において隙間を持たないようにした。
この容器は、クッキー、チョコレートなどの詰め合わせの容器として使用した。
【符号の説明】
【００４８】１  円形容器、
２  主円筒様体、
３  蓋円筒様体、
４  年輪幅、
５  木目、
６  入り底
７  入り蓋
８  木製の薄平板、
９  溝部、
１０  切込み部
１１  底部
１２  嵌め込み部、
１３  装飾部
１４  突出筒部
１５  外側段差部、
１６  内側段差部
１７  焼き付け
１８  半円形付き角形、
１９  ハート型、
２１  二連円形
２２  キャンディー
【図１】
0003201541.tif 000003
【図２】
0003201541.tif 000004
【図３】
0003201541.tif 000005
【図４】
0003201541.tif 000006
【図５】
0003201541.tif 000007
【図６】
0003201541.tif 000008
【手続補正書】
【提出日】平成27年7月2日(2015.7.2)
【手続補正１】
【補正対象書類名】実用新案登録請求の範囲
【補正対象項目名】全文
【補正方法】変更
【補正の内容】
【実用新案登録請求の範囲】
【請求項１】
略円形形状が２〜６個連なった花びら状連結円形様の蓋付き薄板木製容器において、収納容器本体の底板とその蓋体の上板とを同形に花びら状連結円形様形状に薄板を切り抜き、当該両切り抜いた薄板の切り込みのＶ字部に当たる頂点に長方体の薄板一端を各々嵌め込んで、２〜６個の長方体の薄板個々をＶ字部に介して連結させた花びら状に円形様形状を連結させた容器にしていることを特徴とする花びら状連結円形様蓋付薄板容器。
【請求項２】
花びら状連結円形様の蓋付き薄板木製容器は、収納容器部への被せ蓋式と、又は収納容器部に蓋の嵌め込み式とであって、材料として針葉樹林であるエゾマツ材、モミ材、ヒノキ材、スギ材、マツ材から選ばれた厚さ０．１〜３ｍｍの木製の薄平板で、当該木材杢目での年輪の幅が平均値０．５〜５ｍｍの範囲に入っている薄平板木材を使用された直径３０〜２００ｍｍの略円形様状を２〜６個を連ねた花びら様に連結した円形様薄板木製収納容器部、及びその蓋である円形様薄板木製蓋部とから構成されていることを特徴とする請求項１に記載の花びら状連結円形様蓋付薄板容器。
【請求項３】
花びら状連結円形様蓋付薄板容器は、入り底と入り蓋の有無に関係しないが、入り底ありの前記主円形様容器、及び入り蓋ありの前記円形様蓋の場合においては、入り底、及び入り蓋の深さはそれぞれ２〜１０ｍｍであって、前記の薄平板の端部から２〜１０ｍｍの位置に０．３〜１ｍｍ深さ、０．５〜２ｍｍ幅の溝をもった薄板を使用した３０〜２００ｍｍ直径の円形を有する花びら状連結円形様蓋付容器形体であり、前記主円形様形体を内円形様形体と外円形様形体とにより構成し、内円形様形体には外円形様形体の開口端部から突出する突出筒部を形成し、その突出筒部には前記蓋円形様体が外嵌されるような構成体と、又は円形を連結的に有する前記主円形様形体に前記蓋円形様体で覆うように外嵌されるような構成体とであって、前記主円形様体と蓋円形様体とそれぞれの高さを５０〜５００ｍｍの範囲にしていることを特徴とする請求項１、又は請求項２に記載の花びら状連結円形様蓋付薄板容器。
【請求項４】
花びら状連結円形様蓋付薄板容器における本体収納容器に蓋の嵌め込み式において、その前記花びら状連結円形様主形体の薄板収納容器を内円形様形体と外円形様形体とにより構成し、内円形様体には外円形様体の開口端部から突出する円筒部を形成し、その突出円形部には前記蓋円形様体で外嵌されるような構成体になって、前記突出している内円形様形体の寸法として、全体長さ３０〜５０ｍｍ、突出部１０〜３０ｍｍであり、円形を有する前記主円形様形体の薄板収納容器に前記蓋円形様体を外嵌された構成体容器を、高さ５０〜５００ｍｍの主円形様形体と高さ３０〜３００ｍｍの蓋円形様形体とからなっていることを特徴とする請求項１〜請求項３のいずれかに記載の花びら状連結円形様蓋付薄板容器。
【請求項５】
木製の薄平板杢目における、平均年輪幅０．３〜５ｍｍ範囲になっている長方形の薄平板は、略円形状にするために、当該薄平板の両先端部の下部に３〜８ｍｍ長さ、２〜５ｍｍ幅の切り込み部を設けて、この部所を花びら状連結円形様形状の本体収納容器の底板とその蓋の蓋板の薄板における切り抜き部に嵌合できるようにして、その部所で２枚、或は１枚の両端の薄平板の両端２〜５ｍｍの幅を合わせて圧縮接着された構造体にしていることを特徴とする請求項１〜請求項４のいずれかに記載の花びら状連結円形様蓋付薄板容器。
【請求項６】
薄平板を使用した一個の直径３０〜２００ｍｍの円形を有する２〜６個の前記略円形形状を連ねた連結円形様蓋付容器は、食品、並びに食品贈答品を収納されているように形態になっており、円形状として２〜６個の連結円形様花びら型、２個の円形連結ハート型、２個の円形連結ひょうたん型から選ばれた連結円形様蓋付薄板容器であることを特徴とする請求項１〜請求項５のいずれかに記載の花びら状連結円形様蓋付薄板容器。
【請求項７】
花びら状連結円形様蓋付薄板容器は、主円形様容器の表面に貼る装飾模様として、厚さ０．１〜１ｍｍの紙、又は樹脂フイルム、又は布シートであって、円筒外周の表面の１／１０面から１／２を占めて、貼る紙、又は樹脂フイルム、又は布シートに使用する接着剤として、食品の安全性で高く、接着性も高い糖類であり、円筒外表面の板面に季節感に合わせた植物の葉、又は花、および風景をプリントし易いような状態、あるいは内容物を表現できるような図柄、文字の装飾体になって、又は薄板容器の蓋表面板と側板には彫刻模様または刻印を焼き付けていることを特徴とする請求項１〜請求項６のいずれかに記載の花びら状連結円形様蓋付薄板容器。
【請求項８】
略円形形状が連なる花びら様に連結した円形様薄板木製容器本体部の外側面、及びその蓋である円形様薄板木製蓋部の蓋表面、及び側面に装飾を形成された装飾模様一体化した円形様形体になり、又は主円形様形体薄板容器部側面の装飾と高さ３０〜１００ｍｍの円形様蓋部の装飾とを別々の装飾体になり、又は外円形様形体と蓋円形様形体との装飾が連続して、３０〜２００ｍｍ範囲の全円形様形体に装飾模様になっていることを特徴とする請求項１〜請求項７のいずれかに記載の花びら状連結円形様蓋付薄板容器。
【手続補正書】
【提出日】平成27年9月17日(2015.9.17)
【手続補正１】
【補正対象書類名】実用新案登録請求の範囲
【補正対象項目名】全文
【補正方法】変更
【補正の内容】
【実用新案登録請求の範囲】
【請求項１】
略円形様形状体が２〜６個連なった花びら状連結円形様の蓋付き薄板木製容器において、収納容器本体の底板とその蓋の上板とを同形に花びら状連結円形様形状に薄板を切り抜き、当該両切り抜いた薄板の切り込みのＶ字部に当たる頂点に、容器の側板に当たる長方体の薄板一端を各々嵌め込んで、２〜６個の長方体の薄板個々をＶ字部に介して連結させた花びら状に円形様形体を連結させた容器にしていることを特徴とする花びら状連結円形様蓋付薄板容器。
【請求項２】
花びら状連結円形様の蓋付き薄板木製容器は、収納容器への被せ蓋式と、又は収納容器に蓋の嵌め込み式とであって、材料として針葉樹林であるエゾマツ材、モミ材、ヒノキ材、スギ材、マツ材から選ばれた厚さ０．１〜３ｍｍの木製の薄板で、当該木材杢目での年輪の幅が平均値０．５〜５ｍｍの範囲に入っている薄板の木材を使用された直径３０〜２００ｍｍの略円形様形状を２〜６個を連ねた花びら様に連結した主円形様形体の容器である円形様薄板木製収納容器、及びその蓋である薄板木製円形様蓋とから構成されていることを特徴とする請求項１に記載の花びら状連結円形様蓋付薄板容器。
【請求項３】
花びら状連結円形様蓋付薄板容器は、入り底と入り蓋の有無に関係しないが、入り底ありの前記主円形様形体の容器、及び入り蓋ありの前記円形様蓋の場合においては、入り底、及び入り蓋の深さはそれぞれ２〜１０ｍｍであって、底板を嵌合させるために下端部から２〜１０ｍｍの位置に０．３〜１ｍｍ深さ、０．５〜２ｍｍ幅の溝を設けた薄板を使用して、３０〜２００ｍｍ直径の円形を有する花びら状連結円形様形体を形成された蓋付容器であり、前記の主円形様形体の容器を内円形様形体と外円形様形体とにより構成し、内円形様形体には外円形様形体の開口端部から突出する突出筒部を形成し、その突出筒部には前記円形様蓋が外嵌されるような構成体と、又は円形を連結的に有している前記主円形様形体の容器に前記円形様蓋で覆うように外嵌されるような構成体とであって、前記主円形様体の容器と円形様蓋とのそれぞれの高さを５０〜５００ｍｍの範囲にしていることを特徴とする請求項１、又は請求項２に記載の花びら状連結円形様蓋付薄板容器。
【請求項４】
花びら状連結円形様蓋付薄板容器における本体収納容器に蓋の嵌め込み式において、その前記花びら状に連結した主円形様形体の薄板収納容器を内円形様形体と外円形様形体とにより構成し、内円形様形体には外円形様形体の開口端部から突出する円筒部を形成し、その突出円形部には前記円形様蓋で外嵌されるような構成体になって、前記突出している内円形様形体の寸法として、全体長さ３０〜５０ｍｍ、突出部１０〜３０ｍｍであり、円形を有する前記主円形様形体容器に前記円形様体蓋を外嵌された構成体を、高さ５０〜５００ｍｍの主円形様形体の容器と高さ３０〜３００ｍｍの円形様蓋とからなっていることを特徴とする請求項１〜請求項３のいずれかに記載の花びら状連結円形様蓋付薄板容器。
【請求項５】
木製の薄平板杢目における、平均年輪幅０．３〜５ｍｍ範囲になっている長方形の薄平板は、略円形状にするために、当該薄平板の両先端部の下部に３〜８ｍｍ長さ、２〜５ｍｍ幅の切り込み部を設けて、この部所を花びら状連結円形様形状の本体収納容器の底板とその蓋の蓋板の薄板における切り抜き部に嵌合できるようにして、その部所で２枚、或は１枚の両端の薄平板の両端２〜５ｍｍの幅を合わせて圧縮接着された構造体にしていることを特徴とする請求項１〜請求項４のいずれかに記載の花びら状連結円形様蓋付薄板容器。
【請求項６】
薄平板を使用した一個の直径３０〜２００ｍｍの円形を有する２〜６個の前記略円形形状を連ねた連結円形様蓋付容器は、食品、並びに食品贈答品を収納されているように形態になっており、円形状として２〜６個の連結円形様花びら型、２個の円形連結ハート型、２個の円形連結ひょうたん型から選ばれた連結円形様蓋付薄板容器であることを特徴とする請求項１〜請求項５のいずれかに記載の花びら状連結円形様蓋付薄板容器。
【請求項７】
花びら状連結円形様蓋付薄板容器は、主円形様容器の表面に貼る装飾模様として、厚さ０．１〜１ｍｍの紙、又は樹脂フイルム、又は布シートであって、円筒外周の表面の１／１０面から１／２を占めて、貼る紙、又は樹脂フイルム、又は布シートに使用する接着剤として、食品の安全性で高く、接着性も高い糖類であり、円筒外表面の板面に季節感に合わせた植物の葉、又は花、および風景をプリントし易いような状態、あるいは内容物を表現できるような図柄、文字の装飾体になって、又は薄板容器の蓋表面板と側板には彫刻模様または刻印を焼き付けていることを特徴とする請求項１〜請求項６のいずれかに記載の花びら状連結円形様蓋付薄板容器。
【請求項８】
略円形形状が連なる花びら様に連結した円形様薄板木製容器の本体部における外側面、及びその蓋である円形様薄板木製蓋部における蓋表面、及び側面に装飾を形成された装飾模様を一体化した円形様形体になり、又は主円形様形体薄板容器部側面の装飾と高さ３０〜１００ｍｍの円形様蓋部の装飾とを別々の装飾体になり、又は外円形様形体と円形様蓋との装飾が連続して、３０〜２００ｍｍ範囲の全円形様形体に装飾模様になっていることを特徴とする請求項１〜請求項７のいずれかに記載の花びら状連結円形様蓋付薄板容器。